(57)【要約】【課題】位置決め機構を組み込まなくとも、キートップがキー穴のセンター位置に合うようにしたキースイッチ構造を提供すること。【解決手段】本発明のキースイッチ構造は、キー穴が設けられた筐体１に対して、該キー穴に対応する位置に配置されたキースイッチ６と、キーシート５と、押圧した際にキーシート５を介してキースイッチ６を押下する押子部３とを有するキートップ２とを取り付けたキースイッチ構造であって、キートップ２が押下されない状態において、押子部３によってキーシート５が押し込まれることによりキーシート５上に筐体１の内部方向へ凹んだエンボス部５ｃが形成され、押子部３の先端角部３ｃがエンボス部５ｃに挿嵌された状態で接触することを特徴とするキースイッチ構造である。【選択図】図１
2016213143.tif 000002
【特許請求の範囲】
【請求項１】
少なくとも１つのキー穴が設けられた筐体と、前記筐体の内部に設けられたキーベースと、該キーベース上の該キー穴に対応する位置に配置されたキースイッチと、キートップと、該キースイッチと前記キートップとの間に配置されたキーシートと、を備えたキースイッチ構造において、
前記キートップは、押圧した際に前記キーシートを介して前記キースイッチを押下する押子部を備え、
前記キートップが押下されない状態において、前記押子部によって前記キーシートが押し込まれることにより前記キーシート上に前記筐体の内部方向へ凹んだエンボス部が形成され、前記押子部の先端角部が前記エンボス部に挿嵌された状態で接触する、
ことを特徴とするキースイッチ構造。
【請求項２】
前記押子部の前記先端角部が円弧形状となっている、
ことを特徴とする請求項１に記載のキースイッチ構造。
【請求項３】
前記キーシートは、前記エンボス部の周囲を囲む壁部を有し、
前記キートップは、該キートップの裏側内側面端部の内径が、前記壁部の根元部分の外径と略同一に形成されている、
ことを特徴とする請求項１または２に記載のキースイッチ構造。
【発明の詳細な説明】
【技術分野】
【０００１】
本発明は、キースイッチの構造に関する。
【背景技術】
【０００２】
図５は、一般的なキースイッチの構造を示す図である。キースイッチ構造においては、押子部３を備えたキートップ２、キーシート補強板７に支持されたキーシート５、キーベース８に取付けられたキースイッチ６からなる操作盤面が筐体１に配置されて構成されている。このようなキースイッチの構造において、図５に示すようにキートップ２の中心位置が筐体１に設けられたキー穴のセンター位置に合ってないと周囲の隙間４が不均一になるため外観上見栄えが悪くなり、また、キートップ２の隅を押した場合などにキートップ２が筐体１のキー穴の縁に引っかかる等の問題が起き易くなってしまう。つまり、キートップ２がキー穴のセンター付近に配置され、周囲の隙間が均一になることが望ましい。
【０００３】
なお、キースイッチがキー穴に対してセンター位置を合わせる技術として位置決め機構を設ける技術がある（例えば、特許文献１〜３）。
【先行技術文献】
【特許文献】
【０００４】
【特許文献１】特開２００４−０７１４２９号公報
【特許文献２】特許第３２８８５５１号公報
【特許文献３】特許第４４８０２４３号公報
【発明の概要】
【発明が解決しようとする課題】
【０００５】
しかしながら、特許文献１〜３に開示される技術においては、キートップがキー穴に対しセンター位置に合わせるために特別な位置決め機構を必要とし、製造コストが増加するという課題や、組み立てに手間がかかるという課題があった。
【０００６】
そこで本発明の目的は、位置決め機構を組み込まなくとも、キートップがキー穴のセンター位置に合うようにしたキースイッチ構造を提供することである。
【課題を解決するための手段】
【０００７】
本願の請求項１に係る発明は、少なくとも１つのキー穴が設けられた筐体と、前記筐体の内部に設けられたキーベースと、該キーベース上の該キー穴に対応する位置に配置されたキースイッチと、キートップと、該キースイッチと前記キートップとの間に配置されたキーシートと、を備えたキースイッチ構造において、前記キートップは、押圧した際に前記キーシートを介して前記キースイッチを押下する押子部を備え、前記キートップが押下されない状態において、前記押子部によって前記キーシートが押し込まれることにより前記キーシート上に前記筐体の内部方向へ凹んだエンボス部が形成され、前記押子部の先端角部が前記エンボス部に挿嵌された状態で接触する、ことを特徴とするキースイッチ構造である。
【０００８】
本願の請求項２に係る発明は、前記押子部の前記先端角部が円弧形状となっている、ことを特徴とする請求項１に記載のキースイッチ構造である。
【０００９】
本願の請求項３に係る発明は、前記キーシートは、前記エンボス部の周囲を囲む壁部を有し、前記キートップは、該キートップの裏側内側面端部の内径が、前記壁部の根元部分の外径と略同一に形成されている、ことを特徴とする請求項１または２に記載のキースイッチ構造である。
【発明の効果】
【００１０】
本発明により、キートップが備えた押子部の先端角部がキーシート上の円弧形状となっている部分と接触するため、キートップがキー穴のセンターに案内され、キー穴のセンター位置へと位置決めされる。そのため、外観上の見栄えも良く、また、隅押し時にキートップが引っかかる問題が起き難くなる。
【図面の簡単な説明】
【００１１】
【図１】本発明の実施形態におけるキースイッチ構造の断面図である。
【図２】本発明の実施形態におけるキートップ裏側内側面端部を用いたキートップの位置決めについて説明する図である。
【図３】本発明の実施形態における操作盤の外観図である。
【図４】本発明の他の実施形態におけるキーシートを示す図である。
【図５】従来技術におけるキースイッチ構造を示す図である。
【発明を実施するための形態】
【００１２】
以下、図面を参照して本発明の実施形態を説明する。
本発明では、キースイッチ構造を構成するキーシートについて、キートップの押子部に触れる部分がエンボス形状となるようにすることにより、上記課題を解決する。
図１は、本発明の一実施形態におけるキースイッチ構造の断面図である。図に示すように、本発明のキースイッチ構造は、主として、押子部３を備えたキートップ２、キーシート補強板７に支持されたキーシート５、キーベース８に取付けられたキースイッチ６を備えている。
【００１３】
キートップ２が備えた押子部３は、キートップ２を押した際にキーシート５を介してキースイッチ６を押すための先端部３ａと、側部３ｂ、および先端部３ａと側部３ｂの境界部分である先端角部３ｃを有している。また、キーシート５は、キーシートの基部となる平坦部５ａと、キーシート５を筐体１に対して粘着剤９を介して貼り付けた時に、キーシート５の筐体１に設けられたキー穴に対応する部分を筐体１の外部方向へ向けて盛り上げるための円状の壁部５ｂを有している。
【００１４】
そして、本実施形態のキースイッチ構造においては、キートップ２、およびキーシート５を筐体１に取付けたときに、キートップ２が押圧されていない状態（通常時）において、押子部３がキーシート５の壁部５ｂに囲まれた部分に対して押しつけられ、筐体内部方向に円弧形状を描くエンボス部５ｃを形成するように、側部３ｂと壁部５ｂの高さが設計されている。
【００１５】
このような構成とすることで、エンボス部５ｃからの応力により、キーシート５のエンボス部５ｃに触れている押子部３の先端角部３ｃが図１（ａ）の点線矢印に示す方向、即ちキー穴のセンターに寄せる方向に対して案内され、キートップ２の中心は自然とキー穴のセンター位置に位置決めされるようになる。
【００１６】
また、図１（ｂ）に示すようにキーを押し込んだ場合、キーシート５のエンボス部５ｃが押圧により更に変形し、通常状態と比較してキー穴のセンター方向に対してより急な傾斜を形成するため、押子部３をキー穴のセンターに案内する力がより強くなり、キートップ２はズレることなくキー穴のセンター位置に位置決めされる。
【００１７】
キートップ２が備える押子部３の先端角部３ｃは、角型に形成しても本発明の効果を得ることができるが、図１に示すように先端角部３ｃにＲを付けて円弧状に形成することにより、キーシート５のエンボス部５ｃの円弧状の接触面の摩擦が小さくなるため、キートップ２の中心をキー穴のセンターに寄せる力を大きくすることができる。
【００１８】
更に、図２のキー押し込み時の図に示すように、キートップ２のキートップ裏側内側面に傾斜を設けると共に、キーシート５の壁部５ｂがエンボス部５ｃの中心方向へ向けて傾斜するようにし、キートップ裏側内側面端部２ａの内径を、キーシート５の壁部５ｂの根元の部分（平坦部５ａと壁部５ｂとの境界）の外径と略同一とすることにより、キー押し込み時において、キートップ２のキートップ裏側内側面端部２ａが図中の点線矢印方向に案内されるため、当該案内する力と、エンボス部５ｃが押子部３をキー穴のセンターに案内する力とにより、キートップ２の中心はより強い力でキー穴のセンターに位置決めされ、キートップ２とキー穴との隙間が均一に近くなる。
【００１９】
図３は、本発明のキースイッチ構造を組み込んだ操作盤の外観図である。図に示すように、操作盤を縦に配置した場合であっても、キートップ２に設けられた押子部３が、筐体１の内部に位置決めされたキーシート５のエンボス部５ｃにやや押しつけられた状態となっているため、キートップ２の位置が下方向へずれることなくキー穴のセンター位置に自然と位置決めされるようになる。
【００２０】
以上、本発明の実施の形態について説明したが、本発明は上述した実施の形態の例のみに限定されることなく、適宜の変更を加えることにより様々な態様で実施することができる。
【００２１】
例えば、上記した実施形態では、キートップ２が備えた押子部３がキーシート５の壁部５ｂに囲まれた部分に対して押しつけられることによりエンボス部５ｃが形成されるものとして説明したが、図４（ａ）に示すように、エンボス部５ｃを予めキーシート５に形成しておくようにしてもよい。
【００２２】
また、上記した実施形態では、キーシート５の壁部５ｂを円状に形成し、エンボス部５ｃを円弧形状に形成した例を示したが、例えば、キートップ２の押子部３が矩形に形成されている場合などには、図４（ｂ）に示すようにキーシート５の壁部５ｂを矩形に形成し、エンボス部５ｃを筐体内部方向へ凹んだ傾斜状に形成してもよく、同様にキートップ２の押子部３が八角形に形成されている場合には、図４（ｃ）に示すようにキーシート５の壁部５ｂを八角形に形成してもよい。いずれの場合であっても、キートップ２の中央をキー穴のセンター方向へよせる力が働き、本発明の効果を得ることができる。
【符号の説明】
【００２３】
１  筐体
２  キートップ
２ａ  キートップ裏側内側面端部
３  押子部
３ａ  先端部
３ｂ  側部
３ｃ  先端角部
４  隙間
５  キーシート
５ａ  平坦部
５ｂ  壁部
５ｃ  エンボス部
６  キースイッチ
７  キーシート補強板
８  キーベース
９  粘着剤
【図３】
2016213143.tif 000003
【図１】
2016213143.tif 000004
【図２】
2016213143.tif 000005
【図４】
2016213143.tif 000006
【図５】
2016213143.tif 000007